(57)【要約】【課題】  キャビネットの床下空間を十分に活用した回動式収納箱を提供する。【解決手段】床１にキャビネット２を設置し、そのキャビネット２の下方から床下に亘って収納部３を設け、この収納部３に複数の収納箱４をキャビネット２の前面に略平行な垂直面に沿って環状に配置し、収納箱４を環状に回動させる回動機構５を設けると共に、キャビネット２の下方前面に開口６を設け、更に、収納箱４を回動させたとき、収納箱４が最も高くなる位置（Ａ）で、その収納箱４の底面７が床面１ａと略面一となるようにし、キャビネット２の下方前面に設けられた開口６から、その収納箱４を出し入れ自在に設けている。【選択図】図１
2007054538.tif 000002
【特許請求の範囲】
【請求項１】
床にキャビネットを設置し、そのキャビネットの下方から床下に亘って収納部を設け、この収納部に複数の収納箱をキャビネットの前面に略平行な垂直面に沿って環状に配置し、収納箱を環状に回動させる回動機構を設けると共に、キャビネットの下方前面に開口を設けたことを特徴とする回転式収納棚。
【請求項２】
収納箱を回動させたとき、収納箱が最も高くなる位置で、その収納箱の底面が床面と略面一となるようにし、キャビネットの下方前面に設けられた開口から、その収納箱を出し入れ自在に設けたことを特徴とする請求項１記載の回転式収納棚。
【請求項３】
回転機構が電動駆動であり、キャビネットに電動駆動をオンオフするスイッチを設けたことを特徴とする請求項１又は２に記載の回転式収納棚。
【発明の詳細な説明】
【技術分野】
【０００１】
本願発明は、床下に設けられる回転式収納棚に関する。
【背景技術】
【０００２】
従来、キッチンやリビングなどにはキャビネットを設け、収納性の向上を図ることが一般的である。しかしながら、これらキャビネット、特にキッチンキャビネットなどは、一度設置してしまうと取り外すことはなく、従って、その床下スペースが十分活用されていなかった。
【０００３】
一方、特開２００３−３２５２４５号公報には、床下から天井裏にまで亘って、複数の引き出しを水平面に環状に設け、環状に回動できる収納装置が開示されている。しかしながら、この収納装置においては、収納装置の大部分が居住空間にあるため、収納スペースと引き換えに、居住空間が狭くなってしまうという問題点があった。
【特許文献１】２００３−３２５２４５号公報
【発明の開示】
【発明が解決しようとする課題】
【０００４】
本願発明は、上記背景技術に鑑みて発明されたものであり、その課題は、キャビネットの床下空間を十分に活用した回動式収納箱を提供することである。
【課題を解決するための手段】
【０００５】
上記課題を解決するために、本願発明の請求項１に係る回転式収納棚においては、床にキャビネットを設置し、そのキャビネットの下方から床下に亘って収納部を設け、この収納部に複数の収納箱をキャビネットの前面に略平行な垂直面に沿って環状に配置し、収納箱を環状に回動させる回動機構を設けると共に、キャビネットの下方前面に開口を設けたことを特徴とするものである。
又、請求項２記載の回転式収納棚においては、収納箱を回動させたとき、収納箱が最も高くなる位置で、その収納箱の底面が床面と略面一となるようにし、キャビネットの下方前面に設けられた開口から、その収納箱を出し入れ自在に設けたことを特徴とするものである。
【０００６】
又、請求項３記載の回転式収納棚においては、回転機構が電動駆動であり、キャビネットに電動駆動をオンオフするスイッチを設けたことを特徴とするものである。
【発明の効果】
【０００７】
本願発明の請求項１に係る回転式収納棚によると、キャビネットの下方から床下に亘って収納部を設け、この収納部に複数の収納箱をキャビネットの前面に略平行な垂直面に沿って環状に配置し、収納箱を環状に回動させる回動機構を設けると共に、キャビネットの下方前面に開口を設けているので、キャビネットの床下空間を収納部として活用することができると共に、複数の収納箱に収納物を仕分けすることができる。それに加え、普段活用されていないキャビネットの下方に開口を設けているため、収納箱から収納物を出し入れでき、キッチンキャビネットの下方も有効に活用することができる。
又、請求項２に係る回転式収納棚によると、収納箱を回動させたとき、収納箱が最も高くなる位置で、その収納箱の底面が床面と略面一となるようにし、キャビネットの下方前面に設けられた開口から、その収納箱を出し入れ自在に設けているため、床に沿って収納箱が出し入れでき、収納箱に大きな力をかけることなく、容易に引き出すことができる。
又、請求項３に係る回転式収納棚によると、回転機構が電動駆動であり、キャビネットに電動駆動をオンオフするスイッチを設けているため、スイッチのオンオフにより容易に収納箱の位置を変えることができ、複数の収納箱から選択した収納箱から容易に収納物を取り出すことができる。
【発明を実施するための最良の形態】
【０００８】
図１〜３は、本願の請求項１〜３の全てに対応した実施形態である回転式収納棚を示している。この実施形態の回転式収納棚は、床１にキャビネット２を設置し、そのキャビネット２の下方から床下に亘って収納部３を設け、この収納部３に複数の収納箱４をキャビネット２の前面に略平行な垂直面に沿って環状に配置し、収納箱４を環状に回動させる回動機構５を設けると共に、キャビネット２の下方前面に開口６を設けている。
又、収納箱４を回動させたとき、収納箱４が最も高くなる位置（Ａ）で、その収納箱４の底面７が床面１ａと略面一となるようにし、キャビネット２の下方前面に設けられた開口６から、その収納箱４を出し入れ自在に設けている。
【０００９】
又、回転機構５が電動駆動であり、キャビネット２に電動駆動をオンオフするスイッチ８を設けている。
以下、この実施形態の回転式収納棚を、より具体的詳細に説明する。この実施形態の回転式収納棚は、床１に設置したキャビネット２の下方から床下に亘って設置するものである。キャビネット２としては、例えば、図１に示すようなキッチンキャビネットが挙げられる。この場合、キャビネット２は、上端に略矩形板状のカウンター９を備えており、このカウンター上にはコンロや電磁調理器などの調理部や、カランを備えたシンク部を備えていても良い。このカウンター９の下方、すなわちキャビネット２の上方は収納ユニットとなっている。この収納ユニットには、通常のキッチンキャビネットと同様、キャビネット側引き出し部や収納箱部が設けられ、調理器具などが収納できるようになっている。
一方、キャビネット２の下方は、床下に向かって開口しており、キャビネット２の下方から床下に亘って、略直方体の収納部３が設けられている。この収納部３は、キャビネット２の下方と一体に形成していても、例えば、床下に凹部を設け、この凹部の開口を覆うように下方が開口したキャビネット２を設けるなどして、別体に形成しても良い。この収納部３には、複数の収納箱４が設けられており、この収納箱４は、この場合、キャビネット２の前面に略平行で略円形の回転盤１３に対して、環状に取り付けられている。この回転盤１３は、回転軸１２を介して収納部４の背面に回動自在に固定されている。従って、この場合、回転盤１３及び回転軸１２により回動機構５が形成されている。この回転軸１２は、図示はしないが電動モータにつながれており、この電動モータの回動により回転盤１３が回動するようになっている。又、この場合、それぞれの収納箱４は上方に開口した箱型で、この収納箱４が前方に開口した箱型の収納枠１０に収まっており、収納箱４は収納枠１０から引き出し自在となっている。そして、収納枠１０が回転盤１３に回動自在に設けられると共に、収納枠１０には水平維持機構が設けられており、回転盤１３の回転により収納箱４及び収納枠１０の位置が変化しても、収納箱４及び収納枠１０の水平が維持されるようになっている。
又、キャビネット２の下方に開口６が設けられており、扉１１で開閉自在に閉塞されている。又、収納箱４を回転したとき、収納箱４が最も高い位置（Ｈ）で、この収納箱４が開口６から収納箱４が出し入れできるようになっている。この場合、最も高い位置（Ｈ）の収納箱４の底面７が床面１ａと略面一になっており、収納箱４を引き出すときには床面１ａに沿って収納箱４が引き出せるようになっている。従ってこの場合、扉１１は下開き式になっており、収納箱４の出し入れには全く支障が無い。なお、この収納箱の底面１ａにキャスターを設け、収納箱４がキャスターを介して床面１ａに接し、収納箱４の引き出しに合わせてキャスターが回転するようにしても良い。又、扉１１も下開き式だけではなく、左右にスライドできる引き戸式などにしてもよく、収納箱４の出し入れに支障をきたさない形状となっておれば良い。
この場合、回転機構５は、キャビネット２の上方に設けられたスイッチ８によりオンオフされるようになっている。例えば、ボタン式のスイッチ８を設けておき、一回スイッチ８を押すたびに、電動モータが駆動し、回転盤１３が右もしくは左に回転し、キャビネット２に設けた開口６の位置で順次収納箱４が停止するようにしたり、収納箱の数に合わせてスイッチを設け、選択した収納箱４に対応したスイッチ８をオンすることで、その収納箱４がキャビネット２の開口６の位置で停止するようにしたりすることができる。
従って、この実施形態の回転式収納棚においては、キャビネット２の下方から床下に亘って収納部３を設けているため、普段はあまり活用されていないキャビネット２の床下空間を活用し、収納スペースとすることができる。又、複数の収納箱４をキャビネット２の前面に略平行な垂直面に沿って環状に配置し、収納箱４を環状に回動させる回動機構５を設けると共に、キャビネットの下方前面に開口を設けているので、この回動機構５により、複数の収納箱４から選択した収納箱４を最も高い位置（Ｈ）に配置させ、キャビネット２の下方に設けた開口６から、収納箱４内の収納物を出し入れできる。この開口６は、通常はあまり使用されないキャビネット２の下部に設けられているため、キャビネット２の空間も十分活用することができる。
又、収納箱４を回動させたとき、収納箱４が最も高くなる位置（Ｈ）で、その収納箱４の底面７が床面１ａと略面一となるようにし、キャビネット２の下方前面に設けられた開口６から、その収納箱４を出し入れ自在に設けているため、床１に沿って収納箱４が出し入れでき、収納箱４に大きな力をかけることなく、容易に引き出すことができる。又、この収納箱４の底面７にキャスターを設ければ、収納箱４の出し入れが更に容易になる。
又、回転機構５が電動駆動であり、キャビネット２に電動駆動をオンオフするスイッチ８を設けているため、スイッチ８のオンオフにより、容易に収納箱４の位置を変えることができ、複数の収納箱４から選択した収納箱４から容易に収納物を取り出すことができる。
なお、上記実施例においてはキャビネット２としてキッチンキャビネットを用いた場合を説明したが、本願発明はこれに限定されるものではなく、例えば、キッチンに設置した食器棚や、リビングに設置した本棚などのキャビネット２の下方に設けても良い。
又、この回動機構５は上記実施例に示したような回転盤１３と回転軸１２により形成されている必要はなく、例えば、複数の収納箱４がチェーンベルトにより連結され、そのチェーンベルトを回動させることで回動自在にされていてもよい。従って、収納箱４の配置も、略円形に限らず、略楕円形や略矩形などに配置しても良い。
【図面の簡単な説明】
【００１０】
【図１】本願発明の一実施形態である回転式収納棚を示す正面図。
【図２】同回転式収納棚を示す側面の模式図。
【図３】同回転式収納棚の収納箱を引き出した状態を示す側面の模式図。
【符号の説明】
【００１１】
１    床
１ａ  床面
２    キャビネット
３    収納部
４    収納箱
５    回動機構
６    開口
７    底面
８    スイッチ
９    カウンター
１０  収納枠
１１  扉
１２  回転軸
１３  回転盤
【図１】
2007054538.tif 000003
【図２】
2007054538.tif 000004
【図３】
2007054538.tif 000005